(57)【要約】      （修正有）【課題】蓄冷剤が冷凍状態であっても冷凍能力を識別できる蓄冷体を提供する。【解決手段】中空で平面形状が略平板状からなる半透明の蓄冷剤容器１０と、蓄冷剤容器内に封入される蓄冷剤と、蓄冷剤には着色剤が混入可能とされ、蓄冷剤容器の外表面に取り付け可能に着色されている識別具７０と、が備わっている蓄冷体１であって、蓄冷剤が室温であっても、また、冷凍状態であっても、識別具が平面方向・正面方向・側面方向の３方向から識別可能に露出していることにより、視認できる構成からなる。【選択図】図２
0003220843.tif 000002
【実用新案登録請求の範囲】
【請求項１】
中空で略平板形状からなる半透明の蓄冷剤容器と、
該蓄冷剤容器内に封入される蓄冷剤と、
該蓄冷剤容器の外表面に取り付け可能な識別具と、が備わっている蓄冷体。
【請求項２】
前記識別具は着色され、前記蓄冷剤容器の平面方向・正面方向・側面方向の３方向から識別可能に露出していることを特徴とする請求項１に記載の蓄冷体。
【請求項３】
前記識別具は、全体の形状が略コの字状の平板状からなり、中央が窪んだ凹部を有する中央部と、その中央部から屈曲してつながる端部とから構成され、
識別具の端部の先端は、蓄冷剤容器と係合可能な係止部を有し、前記蓄冷剤容器の係止用凹部と嵌合可能となっていることを特徴とする請求項１又は２に記載の蓄冷体。
【請求項４】
前記識別具の中央部の凹部が複数形成され、凹部間に突出部が形成されていることを特徴とする請求項１乃至３のいずれか一項に記載の蓄冷体。
【請求項５】
前記識別具の中央部の凹部側の側面または凹部間の突出部は、断面が半球状の曲面に形成されていることを特徴とする請求項１乃至４のいずれか一項に記載の蓄冷体。
【請求項６】
複数の前記蓄冷剤容器と、前記識別具とにより構成される蓄冷体ユニットであって、前記識別具は、該複数の蓄冷剤容器を脱着可能に固定することを特徴とする請求項１乃至５のいずれか一項に記載の蓄冷体ユニット。
【考案の詳細な説明】
【技術分野】
【０００１】
本考案は、識別具を備える蓄冷剤容器に蓄冷剤が封入された蓄冷体に関する。特に、蓄冷能力を識別でき、蓄冷剤容器の外表面に取り付け可能な識別具が備わっている蓄冷体に関する。
【背景技術】
【０００２】
従来、蓄冷体は、食料品や薬品を最適温度に保つために広く利用されており、繰り返して利用される。容器に蓄冷剤を封入する際、内容物である蓄冷剤の量を容易に目視により確認できるように容器が内部の蓄冷剤を視認可能な合成樹脂により成形され、蓄冷剤に着色が施されたものが提案されている（特許文献１参照）。
また、保冷温度が−１８℃程度の冷凍用と保冷温度が３℃程度の冷蔵用に応じて、蓄冷剤の蓄冷能力を区別するために、蓄冷剤に着色されているものもある。
【０００３】
さらに、蓄冷状態を視認可能とする目的で、冷却時の変色が視認可能な保冷用組成物からなる蓄冷剤も提案されている（特許文献２）。凍結前は、例えば蓄冷剤は青色であったものが、凍結後には白色又は薄く青味がかかった白色になり、冷却状態の視認ができるというものである。これらのように着色した蓄冷剤により、常温では蓄冷能力を区別できた。
しかし、上記の蓄冷能力の異なる蓄冷剤であっても、また、蓄冷状態を視認可能できる蓄冷剤であっても、凍結後の蓄冷剤の状態においては、白色又は薄く色味がかかった白色になり、未だ凍結状態での蓄冷剤を区別することができず、蓄冷剤の取り違いを起こす問題があった。
【先行技術文献】
【特許文献】
【０００４】
【特許文献１】特開２００６−０９７９８４号公報
【特許文献２】特開２０１４−０７０１４０号公報
【考案の概要】
【考案が解決しようとする課題】
【０００５】
本考案は前記の点に鑑みなされたものであって、蓄冷剤が凍結状態であっても蓄冷能力を識別できる蓄冷体の提供を目的とする。
【課題を解決するための手段】
【０００６】
請求項１の考案は、中空で平面視略平板形状からなる半透明の蓄冷剤容器１０と、該蓄冷剤容器内に封入される蓄冷剤６０と、該蓄冷剤容器の外表面に取り付け可能な識別具７０と、が備わっている蓄冷体１に係る。
本蓄冷体は、識別具７０が蓄冷剤容器１０の外表面に取り付けられると、常温のみならず、蓄冷剤が凍結した状態であっても容易に蓄冷能力を識別でき、取り違えることがない。
【０００７】
請求項２の考案は、請求項１の考案において、前記識別具は着色され、前記蓄冷剤容器の平面方向・正面方向・側面方向の３方向から識別可能に露出していることを特徴とする。
これにより、蓄冷体が単独で又は重ねて置かれた状態であっても、識別具は、蓄冷剤容器の平面方向・正面方向・側面方向の３方向に面しており、当該方向にまわり込んで構成されているため、いずれの方向からも容易に識別具を視認することができ、蓄冷体の蓄冷能力を識別でき、取り違えることがない。
【０００８】
請求項３の考案は、請求項１または請求項２の考案において、前記識別具７０は、全体の形状が略コの字状の平板状からなり、中央が窪んだ凹状空間（凹部）を有する中央部７２と、その中央部から屈曲してつながる端部７６とから構成され、識別具の端部の先端は、蓄冷剤容器と係合可能な係止部７７を有し、前記蓄冷剤容器の係止用凹部５５と嵌合可能となっていることを特徴とする。
この構成により、蓄冷剤容器に識別具を取り付ける際に識別具の中央部７２の凹部７３が撓んで蓄冷剤容器の係止用凹部５５に嵌合させることができる。また、識別具の中央部７２が略コの字の弾性体として作用するため、識別具の端部７６を掴んで蓄冷剤容器から着脱可能になる。
【０００９】
請求項４の考案は、請求項１乃至請求項３の考案において、前記識別具の中央部の凹部７３が複数形成され、凹部間に蓄冷剤容器の緩み防止用の突出部７４が形成されていることを特徴とする。
これにより、図１１に示すように蓄冷剤容器に識別具を取り付ける際に識別具の凹部７３が複数となり、凹部７３を取り囲む中央部７２と屈曲してつながる端部７６がより撓みやすくなり蓄冷剤容器への嵌合がより容易となる。また、識別具の凹部間の突出部７４が蓄冷剤容器のＵ字状切込部５０と接することで、識別具と蓄冷剤容器との間の隙間を埋め、両者の嵌合時の緩みを防止することが可能となる。
【００１０】
請求項５の考案は、請求項１乃至請求項４において、前記識別具の中央部の凹部側の側面または凹部間の突出部７４は、断面が半球状の曲面に形成されていることを特徴とする。
この識別具の中央部の凹部の側面又は凹部間の突出部７４の断面形状が半球状の曲面に形成されているので、蓄冷剤容器との接触面積を抑えることができ、冷却した蓄冷剤に組付けられていても熱伝導しにくくなり、また、強度を保つことができる。
【００１１】
請求項６の考案は、請求項１乃至請求項５において、複数の前記蓄冷剤容器１０と、前記識別具とにより構成される蓄冷体ユニット５であって、前記識別具は、該複数の蓄冷剤容器を脱着可能に固定することを特徴とする。
これにより、識別具が複数の蓄冷剤容器を固定する固定具８０を兼ねるため、複数の蓄冷剤容器を束ねて一体化されて蓄冷体ユニット５として持ち運びが良く、蓄冷体ユニットとしての識別性を高めることができる。
【考案の効果】
【００１２】
本考案によれば、識別具７０が蓄冷剤容器１０の外表面に取り付け可能となっているため、常温のみならず、蓄冷剤が凍結した状態であっても容易に蓄冷能力を識別できる蓄冷体１を提供することができる。この蓄冷体１であれば、凍結時に、取り違えることがないので、例えば、冷蔵室において、冷蔵室用でない蓄冷体が紛れていた場合に容易に識別できる。また、一つの保冷庫を冷凍能力の異なる蓄冷体を混在して使用する場合に、冷凍時の蓄冷体を補充・交換する際に、蓄冷体１を取り違えることがない。
【図面の簡単な説明】
【００１３】
【図１】第一実施形態の識別具を組付けた蓄冷体の側面図である。
【図２】第一実施形態の識別具を組付けた蓄冷体の正面図である。
【図３】実施例の蓄冷剤容器の平面図である。
【図４】実施例の蓄冷剤容器の側面図である。
【図５】実施例の蓄冷剤容器の正面図である。
【図６】図３の蓄冷剤容器のａ−ａ断面を示す断面図である。
【図７】図３の蓄冷剤容器のｂ−ｂ断面を示す断面図である。
【図８】図３の蓄冷剤容器のｃ−ｃ断面を示す断面図である。
【図９】図３の蓄冷剤容器のｄ−ｄ断面を示す断面図である。
【図１０】第一実施形態における識別具の平面図、正面図、ｘ−ｘ断面図である。
【図１１】第一実施形態における識別具の変形例の平面図である。
【図１２】第二実施形態における固定具を組付けた蓄冷体ユニットの側面図である。
【図１３】第二実施形態における固定具を組付けた蓄冷体ユニットの正面図である。
【図１４】第二実施形態における固定具の平面図、正面図、ｙ−ｙ断面図である。
【考案を実施するための形態】
【００１４】
以下、図面を参照しながら、本考案の好適な実施の形態について詳細に説明する。なお、本明細書及び図面においては、同一の符号が付された構成要素は、実質的に同一の構造又は機能を有するものとする。
【００１５】
図１及び図２はこの考案の第一実施形態に係る蓄冷体１であって、蓄冷剤容器１０に識別具７０を組合せた蓄冷体の側面図及び正面図である。図３ないし図５は本考案の第一実施形態に係る蓄冷剤容器１０の平面図・側面図及び正面図であり、図１０は第一実施形態に係る識別具７０の平面図・正面図及びｘ−ｘ断面図である。図１２ないし図１４はこの考案の第二実施形態に係る固定具（識別具）８０及び蓄冷剤容器とこれらを組合せた蓄冷体ユニット５の図面である。
【００１６】
＜第一実施形態＞
図１及び図２に示す第一実施形態の蓄冷体１は、蓄冷剤６０を封入する蓄冷剤容器１０および蓄冷剤容器の外表面に取り付けた識別具７０とによって構成されている。蓄冷体１は、食物や医薬品を低温で保管輸送するためのものであり、蓄冷剤容器に潜熱の大きい水を主成分とする蓄冷剤が封入されている。容器１０の外表面には着色された識別具７０が取り付けられ、蓄冷体１が置かれた状態で、その中に封入された蓄冷剤の冷凍能力を目視にて識別できるようになっている。
【００１７】
＜蓄冷剤容器１０＞
図３ないし図５に示す蓄冷剤容器１０は、内部に蓄冷剤の収容空間１２を有する中空で略平板状からなるもので、ポリエチレン、ポリプロピレン等のポリオレフィンあるいはポリアミド、ポリエステル、ＡＢＳ等の合成樹脂で構成され、ブロー成形により成形されている。
【００１８】
前記蓄冷剤容器１０の平面視における形状は、図３に示すように角が丸みを帯びた略長方形であり、長手方向の辺（長辺）が直線ではなく容器中心側（容器内側）に向かって窪んだ凹凸状となっている。なお、この実施例における蓄冷剤容器１０の外観寸法は、約３７０ｍｍ×１５５ｍｍとなっている。
【００１９】
蓄冷剤容器１０の側面図（図４）正面図（図５）に示すように、蓄冷剤容器はその厚みが均一な一般部（容器基体１１）の表面と裏面に大小の突出した部分が形成されている。蓄冷剤容器の長さが約３７０ｍｍに対して、一般部（容器基体１１）の厚みは２３ｍｍ、最大に突出した部分の高さは１２ｍｍであり、蓄冷剤容器全体としては略平板状になっている。また、蓄冷剤容器１０の平面図（図３）の各断面を図６〜図９に示す。
【００２０】
蓄冷剤容器１０の表面と裏面には、それぞれ４箇所に側面から見て略台形状の円錐台形状をした円錐台部２０が膨出して設けられ、一定の厚さ部分である蓄冷剤容器の一般面（容器基体１１）に円錐台部が突出したように成形されている。
この円錐台部２０は容器基体１１の表面と裏面の四隅近傍に設けられ、円錐台の底面の直径が４０ｍｍ、上端面の直径が２０ｍｍ、高さが１０ｍｍである。
【００２１】
この円錐台部２０は、蓄冷剤容器１０を平板状に水平に置いた時の接地脚として働く。また、複数の蓄冷剤容器１０を重ね合わせるように配置する場合に、隣り合う蓄冷剤容器の円錐台部２０同士を嵌合させることができるように、円錐台部２０の上面に凸部（円錐台凸部２４）と凹部（円錐台凹部２７）を設けている。
図３〜図７に示すように、円錐台凸部２４は半球状の突起の形状をしており、またその円錐台凸部２４の半球状の突起が入り込む程度の窪んだ形状をしている円錐台凹部２７が対応する箇所に設けられている。図７に示すように、円錐台凸部２４と円錐台凹部２７は、蓄冷剤容器１０の短手方向に一組の対となって表面と裏面にそれぞれ設けられている。複数の蓄冷剤容器１０の各円錐台凸部２４と各円錐台凹部２７を各々嵌合させて、重ね合わせるように配置すると、蓄冷剤容器のそれぞれの容器基体１１の間に空間が形成されるようになる。
【００２２】
さらに、蓄冷剤容器１０の表面と裏面には、図３〜図８に示すようにそれぞれ複数の半球状の突起３０が膨出して設けられている。これらの半球状の突起３０を蓄冷剤容器の容器基体１１の表面に設けることにより、蓄冷剤容器１０の一般部（容器基体１１）の表面積を増大させ、凍結時間を短縮することができる。
【００２３】
図９に示すように、容器基体１１の表裏の外面には、収納された蓄冷剤を凍結させる際の体積膨張により容器が膨らんでしまったり、破損したりしないように、強度向上等のための陥没した接合凹部４０が複数形成されている。陥没した接合凹部４０は、外面を形成する容器壁を部分的に陥没させた凹部を形成し、この陥没した凹部同士を接合させて、蓄冷剤容器の膨らみ又は破損を防止する。
この陥没した接合凹部４０は、図９のように、容器基体１１の両表面に容器の内部に向かって設けられた凹部の底面が容器基体１１の厚さ方向の中間位置において接合されて形成されている。尚、この接合凹部の平面形状は円形であり、容器基体１１の表面における接合凹部の直径は１６ｍｍ、底面の直径が１４ｍｍである。本蓄冷剤容器１０の表面裏面それぞれに設けられた陥没した接合凹部４０は、容器基体１１の四隅に配置され、同様に四隅に設けられた円錐台部２０よりもさらに外側の端部に配置されている。
【００２４】
図３に示すように蓄冷剤容器１０の長手方向の側端部に、Ｕ字状の空間からなる切込部５０が蓄冷剤容器の中心側の短手方向に形成されている。
この切込部５０のさらに中心側の短手方向の先に、蓄冷剤容器の一般面である容器基体面より窪んだ係止用凹部５５が形成されている。
この切込部５０に識別具７０（固定具８０）を嵌め込み、係止用凹部５５に識別具（固定具）の係止部７７が嵌合可能となっている。
【００２５】
前記蓄冷剤容器１０の中央には、蓄冷剤容器の厚み方向に貫通する２つの貫通孔１４が設けられ、前記の２つの貫通孔１４間に中空把持部１６が形成され、中空把持部１６を中心に貫通孔１４が並設されている。前記貫通孔１４は、この蓄冷剤容器１０を把持する際に指が挿入される部分であり、この例では、中空把持部１６を挟んだ２つの貫通孔１４は、全体として中空把持部１６を長軸とする一つの楕円の形状を形づくり、略半楕円形状の２つの貫通孔１４が中空把持部１６を挟んで相対向するように併設されている。
中空把持部１６は、蓄冷剤容器１０を平面部の方向に置いた時に均一の水平方向の厚みを有しており、厚み方向で屈曲していない。この場合でも、本容器は円錐台部２０が容器の表面裏面の四隅に配置されているため、中空把持部１６を掴み損ねることはない。
【００２６】
この蓄冷剤容器１０の短辺側の側面には蓄冷剤を注入するための注入口が形成されている。この注入口は、蓄冷剤充填後にキャップ１８等により密封される。
このように蓄冷剤容器１０の表面には、平面図の図３の外観のように大小の円錐台部２０や半球状突起３０と陥没した接合凹部４０や係止用凹部５５が形成されており、蓄冷剤容器の裏面側も同じ形状の凹凸部分が形成されている。
【００２７】
＜識別具（固定具）＞
識別具７０は、図１０に示すように、平面視で略コの字が２つ重なって、全体の形状が略コの字状の平板からなり、識別具７０の幅方向に広がる中央が凹部に窪んだ凹部７３を有する中央部７２と、その中央部７２から屈曲してつながる端部７６と、から構成されている。識別具の端部７６の先端は、蓄冷剤容器と係合可能な係止部７７を中央部の凹部側に有し、前記蓄冷剤容器１０の係止用凹部５５と嵌合可能となっている。
識別具７０は、高密度ポリエチレン等の熱可塑性樹脂に、顔料・染料等の着色剤又はこれらの着色剤を樹脂に配合したマスターバッチ等を配合し、射出成形によって形成される。着色剤は、蓄冷剤の冷凍能力に応じた色が採用され、識別具７０は黄色、青色、赤色等の複数の色で着色される。
【００２８】
識別具７０の幅は、蓄冷剤容器１０の一般面（容器基体１１）の厚みと表裏の円錐台部２０の高さを合わせた寸法、すなわち蓄冷剤容器１０の最大厚みとほぼ同じか、わずかに大きい寸法となっている。識別具７０の厚みは、蓄冷剤容器のＵ字状切込部５０に入り込む厚みであればよく、本案ではＵ字状切込部５０の間隔が１０ｍｍに対して、識別具７０の厚みは９ｍｍとなっている。識別具の中央部７２の奥から端部先端の係止部７７にかけての寸法は、識別具７０を蓄冷剤容器１０に嵌合した場合に、蓄冷剤容器の外縁からわずかにはみ出す程度の寸法となっている。
【００２９】
識別具の中央の凹部７３が蓄冷剤容器のＵ字状の切込部５０と嵌め合わされ、識別具の端部の先端における係止部７７が、蓄冷剤容器の係止用凹部５５と嵌合され、蓄冷剤容器の外表面に識別具が固定される。
また、図１・図２のように識別具の端部７６が、蓄冷剤容器の容器基体よりはみ出した形で嵌合され、識別具の中央部７２が略コの字の弾性体として作用するため、識別具の端部７６を掴んで蓄冷剤容器１０から取り外すことが可能となり、着脱可能になっている。なお、４つの識別具７０が蓄冷剤容器の蓄冷剤容器の側面に位置するＵ字状切込部５０に嵌合され着脱可能に固定化された状態になると、識別具７０が蓄冷剤容器の容器基体１１を支える脚として働く。
【００３０】
蓄冷剤容器のＵ字状切込部５０で識別具の中央部の凹部７３が蓄冷剤を取り囲むように嵌り込むため、図２のように蓄冷剤容器１０の正面・背面方向からも識別具７０を視認することができる。また、識別具７０は一定の厚みを有するため、図１のように蓄冷剤容器１０の側面方向及びそれに垂直な上下・鉛直方向（蓄冷剤容器の平面・底面方向）からも、識別具を視認することができる。このような構成により、識別具７０を蓄冷剤容器１０の平面方向・正面方向・側面方向の少なくとも３方向のいずれの方向から見えるように嵌合することを実現でき、識別具の視認性を確保することができる。
【００３１】
さらに、図１１のように、識別具の中央部の凹部７３が複数形成され、凹部間に突出部７４が設けられてもよい。これにより、蓄冷剤容器に識別具を取り付ける際に識別具の中央部の凹部７３が撓んで蓄冷剤容器の係止用凹部５５に嵌合させることが容易となる。
また、凹部間７３の突出部７４が蓄冷剤容器の切込部５０に入り込み、識別具と蓄冷剤容器との間の隙間を埋め、両者の嵌合時の緩みを防止することが可能となる。
【００３２】
さらに、前記識別具７０の中央部の凹部７３又は凹部間の突起部７４の凹部側の側面は、図１０（ｃ）のように、断面が半球状の曲面に形成されている。
この識別具の中央部の凹部７３（凹部間の突起部７４）の断面形状が半球状の曲面に形成されているので、蓄冷剤容器との接触面積を抑えることができ、冷却した蓄冷剤容器１０に組付けられていても、熱伝導しにくくなり、結露しにくく識別性が低下することがない。
【００３３】
＜蓄冷剤＞
蓄冷剤容器１０に収納される蓄冷剤６０は、一般に、短時間で凍結し、凍結に要するエネルギーが少なく、且つ有効な保冷時間が長いものが使われる。実用的には融解潜熱の大きい水を主剤とし、これにゲル化剤及び寒剤等が配合されたものが用いられる。このゲル化剤としては、カルボキシメチルセルロース、ポリビニルアルコール、ポリアクリル酸ナトリウム、ポリアクリルアミド等の親水性ポリマーを架橋することにより水不溶性とした高吸水性ポリマーを使用することができる。また、デンプン、ゼラチン、グアガム等の天然多糖類などを用いることもできる。寒剤としては、塩化ナトリウム、塩化カリウム等の無機酸の金属塩、或いはエチレングリコール、プロピレングリコール等の多価アルコールなどが挙げられる。更に、過冷却の防止のため核剤その他、防腐剤、防黴剤及び顔料、染料等の着色剤等を配合可能とされ、通常蓄冷剤に用いられる添加剤を配合することができる。
【００３４】
＜第２実施形態＞
本案の蓄冷剤容器１０は円錐台部２０を有しており、複数の蓄冷剤容器１０の四隅の円錐台凸部２４と円錐台凹部２７とが嵌合して、図１２・図１３のように積み重ねるように配置して、蓄冷体ユニット５を構成することができる。この時、これらの蓄冷剤容器を一体固定化するために、図１４に示す識別具（固定具）８０を用いることができる。
この固定具８０は、高密度ポリエチレン等の熱可塑性樹脂に、顔料・染料等の着色剤又はこれらの着色剤を樹脂に配合したマスターバッチ等を配合し、射出成形によって形成され、識別具と同様の機能を有するとともに、複数の蓄冷剤容器１０を一体固定化させる。
【００３５】
固定具８０は、図１４のように、櫛歯状の平板な成形体である中央部８２と、その中央部から屈曲してつながる端部８６とから構成され、全体の形状において、その中央部が長くなった略コの字状の平板からなる。固定具の端部８６の先端は、蓄冷剤容器と係合可能な係止部８７を有し、前記蓄冷剤容器１０の係止用凹部５５と嵌合可能となっている。この中央部８２には、端部の係止部側に窪んだ凹部８３を複数有しており、これらの複数の凹部８３との間に突出部８４が複数形成され、櫛歯状の部分を構成している。
【００３６】
これらの突出部８４の間に形成される凹部８３が蓄冷剤容器の切込部５０と嵌め合わされ、固定具の端部８６の先端における係止部８７が、蓄冷剤容器の係止用凹部５５と嵌合され、蓄冷剤容器が固定具８０により固定される。この固定具８０は、中実体であり、複数の蓄冷剤容器１０を一体に固定するために必要な十分な強度を有する。
さらに、固定具８０の周縁部の断面形状が半球状の曲面に形成されているので、複数の蓄冷剤容器を固定化する固定具としての強度を維持することができる。
【００３７】
図１２・図１３のように、本実施態様においては、４個の蓄冷剤容器１０を積み重ねた状態で、蓄冷剤容器のＵ字状切込部５０に固定具の中央凹部８３を嵌め込んでいる。固定具８０は４本使用されており、蓄冷剤容器の切込部５０の４箇所に嵌合され、４つの蓄冷剤容器の縁部の４カ所に４つの固定具が嵌り込んで、蓄冷体ユニット５を構成する。さらに、蓄冷剤容器と固定具の所定の箇所に輪状の紐９９が掛けてあり、この蓄冷体ユニット５を持ち運びやすくしている。
【符号の説明】
【００３８】
１  蓄冷体
５  蓄冷体ユニット
１０  蓄冷剤容器
１４  貫通孔
１６  中空把持部
１８  注入口キャップ
２０  円錐台部
２４  円錐台凸部
２７  円錐台凹部
３０  半球状突起
４０  接合凹部
５０  Ｕ字状切込部
５５  係止用凹部
６０  蓄冷剤
７０  識別具
７２  識別具の中央部
７３  識別具の中央部の凹部
７４  識別具の凹部間の突出部
７６  識別具の端部
７７  識別具の端部の係止部
８０  固定具（識別具）
８２  固定具の中央部
８３  固定具の中央部の凹部
８４  固定具の凹部間の突出部
８６  固定具の端部
８７  固定具の端部の係止部
９９  紐
【図１】
0003220843.tif 000003
【図２】
0003220843.tif 000004
【図３】
0003220843.tif 000005
【図４】
0003220843.tif 000006
【図５】
0003220843.tif 000007
【図６】
0003220843.tif 000008
【図７】
0003220843.tif 000009
【図８】
0003220843.tif 000010
【図９】
0003220843.tif 000011
【図１０】
0003220843.tif 000012
【図１１】
0003220843.tif 000013
【図１２】
0003220843.tif 000014
【図１３】
0003220843.tif 000015
【図１４】
0003220843.tif 000016
【手続補正書】
【提出日】平成31年2月8日(2019.2.8)
【手続補正１】
【補正対象書類名】実用新案登録請求の範囲
【補正対象項目名】全文
【補正方法】変更
【補正の内容】
【実用新案登録請求の範囲】
【請求項１】
中空で略平板形状からなる半透明の蓄冷剤容器と、
該蓄冷剤容器内に封入される蓄冷剤と、
該蓄冷剤容器の外表面に取り付け可能な識別具と、が備わっている蓄冷体。
【請求項２】
前記識別具は着色され、前記蓄冷剤容器の平面方向・正面方向・側面方向の３方向から識別可能に露出していることを特徴とする請求項１に記載の蓄冷体。
【請求項３】
前記識別具は、全体の形状が略コの字状の平板状からなり、中央が窪んだ凹部を有する中央部と、その中央部から屈曲してつながる端部とから構成され、
識別具の端部の先端は、蓄冷剤容器と係合可能な係止部を有し、前記蓄冷剤容器の係止用凹部と嵌合可能となっていることを特徴とする請求項１又は２に記載の蓄冷体。
【請求項４】
前記識別具の中央部の凹部が複数形成され、凹部間に突出部が形成されていることを特徴とする請求項１乃至３のいずれか一項に記載の蓄冷体。
【請求項５】
前記識別具の中央部の凹部側の側面または凹部間の突出部は、断面が半球状の曲面に形成されていることを特徴とする請求項１乃至４のいずれか一項に記載の蓄冷体。
【請求項６】
複数の前記蓄冷剤容器と、前記識別具とにより構成される蓄冷体ユニットであって、
前記識別具は該複数の蓄冷剤容器を脱着可能に固定する、
ことを特徴とする請求項１乃至５のいずれか一項に記載の蓄冷体で構成される蓄冷体ユニット。
【手続補正２】
【補正対象書類名】明細書
【補正対象項目名】００１１
【補正方法】変更
【補正の内容】
【００１１】
請求項６の考案は、複数の前記蓄冷剤容器１０と、前記識別具とにより構成される蓄冷体ユニット５であって、蓄冷体ユニット５は、請求項１乃至５のいずれか一項に記載の蓄冷体で構成され、前記識別具は該複数の蓄冷剤容器を脱着可能に固定する、ことを特徴とする。
これにより、識別具が複数の蓄冷剤容器を固定する固定具８０を兼ねるため、複数の蓄冷剤容器を束ねて一体化されて蓄冷体ユニット５として持ち運びが良く、蓄冷体ユニットとしての識別性を高めることができる。